(57)【要約】      （修正有）【課題】靴べらであって、特に、使用者が硬質厚板領域により靴後部を外側へ広げて、足のかかとで軟質薄板領域に力を加え、前記軟質薄板領域を湾曲させ、本体を靴べらとして使用することができるカードタイプ携帯型靴べらを提供する。【解決手段】カードタイプ携帯型靴べらであって、本体１を含み、前記本体１が板状体であり、硬質厚板領域１１、漸次薄化領域１２及び軟質薄板領域１３を有する。そのうち、前記漸次薄化領域１２は、前記軟質薄板領域１３の方向へ向かってその厚みが次第に薄くなり、且つ前記軟質薄板領域１３の厚みが前記硬質厚板領域１１よりも小さい。前記硬質厚板領域１１と軟質薄板領域１３を設けたことにより、使用者は硬質厚板領域１１で靴後部を外側へ広げて足のかかとで前記軟質薄板領域１３に力を加えて前記軟質薄板領域１３を湾曲させ、前記本体１を靴べらとして使用することができる。【選択図】図２
0003196358.tif 000002
【実用新案登録請求の範囲】
【請求項１】
少なくとも、本体を含み、
前記本体が板状体であり、かつ前記本体は、硬質厚板領域、漸次薄化領域及び軟質薄板領域を有し、
そのうち、前記漸次薄化領域は、前記軟質薄板領域の方向へ向かってその厚みが次第に薄くなり、且つ前記軟質薄板領域の厚みが前記硬質厚板領域よりも小さく、前記硬質厚板領域と軟質薄板領域を設けたことにより、使用者が硬質厚板領域で靴後部を外側へ広げ、足のかかとで前記軟質薄板領域に力を加えて前記軟質薄板領域を湾曲させ、前記本体を靴べらとして使用することができることを特徴とするカードタイプ携帯型靴べら。
【請求項２】
前記本体が矩形板状体であることを特徴とする請求項１記載のカードタイプ携帯型靴べら。
【請求項３】
前記漸次薄化領域は、人体の足のかかとに合わせて半円形を設けることを特徴とする請求項１記載のカードタイプ携帯型靴べら。
【請求項４】
前記本体は、持ち手部を更に含むことを特徴とする請求項１記載のカードタイプ携帯型靴べら。
【請求項５】
前記持ち手部は、外から内に、傾斜領域、平坦領域及び凸線領域を含むことを特徴とする請求項４記載のカードタイプ携帯型靴べら。
【考案の詳細な説明】
【技術分野】
【０００１】
本考案は、靴べらであって、特に、使用者が硬質厚板領域により靴後部を外側へ広げて、足のかかとで軟質薄板領域に力を加え、前記軟質薄板領域を湾曲させ、本体を靴べらとして使用することができるカードタイプ携帯型靴べらである。
【背景技術】
【０００２】
靴べらは、靴を履くために用いられる道具である。図1に示すように、従来の靴べら２は、主に表面が滑らかな板状物であり、一端を手で保持し、もう一端の中間部が凹型で内向きに湾曲した舌部である。材質は、金属、木材を含み、現在ではほとんどがプラスチック材料により製造される。靴を穿く際、従来の靴べら２を靴の後部かかとに挿入するだけで、容易かつ迅速に靴を穿くことができる。
【考案の概要】
【考案が解決しようとする課題】
【０００３】
従来の靴べら２は、靴の着用を補助するという目的を達成するが、しかし、そのデザインにより、携帯しにくいという問題があり、改良する必要がある。
【課題を解決するための手段】
【０００４】
故に、本考案の創作者は、上記欠点に鑑み、関連資料を収集し、多面的な評価及び考慮を行い、且つ絶えず試作及び改良を行った結果、この新型の考案の創作に至った。
【０００５】
本考案の主な目的は、使用者が硬質厚板領域により、靴後部を外側へ広げて足のかかとで軟質薄板領域に力を加え、前記軟質薄板領域を湾曲させて、前記本体を靴べらとして使用するカードタイプ携帯型靴べらを提供することである。
【０００６】
上記の目的を達成するために、本考案は、カードタイプ携帯型靴べらを提供する。前記靴べらは少なくとも、本体を含み、前記本体が板状体であり、且つ前記本体は、硬質厚板領域、漸次薄化領域及び軟質薄板領域を有する。そのうち、前記漸次薄化領域は、前記軟質薄板領域の方向へ向かってその厚みが次第に薄くなり、且つ前記軟質薄板領域の厚みが前記硬質厚板領域よりも小さい。前記硬質厚板領域と軟質薄板領域を設けたことにより、使用者が硬質厚板領域で靴後部を外側へ広げ足のかかとで前記軟質薄板領域に力を加えて前記軟質薄板領域を湾曲させ、前記本体を靴べらとして使用することができる。
【０００７】
より好ましい実施例において、前記本体は矩形板状体である。
【０００８】
より好ましい実施例において、前記漸次薄化領域は、人体の足のかかとに合わせて半円形を設ける。
【０００９】
より好ましい実施例において、前記本体は、持ち手部を更に含む。
【考案の効果】
【００１０】
本考案の本体は、硬質厚板領域、漸次薄化領域及び軟質薄板領域を含み、これにより、本体の比較的硬い硬質厚板領域と比較的柔らかい軟質薄板領域を作り出し、使用者が前記本体の硬質厚板領域を保持して、硬質厚板領域により靴後部を外側へ広げて、足のかかとで前記軟質薄板領域に力を加え、前記軟質薄板領域を湾曲させ、前記本体を靴べらとして使用できる。
【図面の簡単な説明】
【００１１】
【図１】従来の靴べらの立体図である。
【図２】本考案の実施例の上面図である。
【図３】本考案の実施例の立体図である。
【図４】本考案の実施例の実施図である。
【図５】本考案の別の実施例の上面図である。
【考案を実施するための形態】
【００１２】
上記目的及び機能を達成するために本考案が採用する技術手段及び構造について、図示するとともに本考案の実施例によりその特徴と機能を以下のように説明することにより完全に理解することができる。
【実施例】
【００１３】
図２及び図３に示すように、本考案は、カードタイプ携帯型靴べらであり、前記靴べらは、少なくとも、本体１を含む。前記本体１は、硬質プラスチック材料から製造されることが好ましい。前記本体１は板状体であり、本実施例において前記本体１は、矩形板状体である。
【００１４】
前記本体１は、硬質厚板領域１１、漸次薄化領域１２及び軟質薄板領域１３を有する。前記硬質厚板領域１１の厚みは２ｍｍに設定できるが、これに制限されない。前記漸次薄化領域１２は、前記軟質薄板領域１３方向に向かってその厚みが次第に薄くなり、例えば、２ｍｍから０．５ｍｍへと次第に薄くなる。本実施例において、前記漸次薄化領域１２は、人体の足のかかとに合わせて半円形を設ける。また、前記軟質薄板領域１３の厚みは、前記硬質厚板領域１１より小さい。前記軟質薄板領域１３は平坦を呈する。例えば厚みを０．５ｍｍと設定できるが、これに制限されず、本実施例における漸次薄化領域１２の最も薄い個所と同じである。前記硬質厚板領域１１と軟質薄板領域１３を設けることにより、使用者が硬質厚板領域１１により靴後部を外側へ広げて、足のかかとで前記軟質薄板領域１３に力を加え、前記軟質薄板領域１３を湾曲させて、前記本体１を靴べらとして使用することができる。
【００１５】
更に、前記本体１は、持ち手部１０を更に含み、前記持ち手部１０は凸点または粗面を設けることにより、使用者が滑らずに保持することができる。
【００１６】
上記の構造、構成デザインをもとに、本考案の使用動作を以下のように説明する。図４に示されるように、本考案は、比較的硬い硬質厚板領域１１と比較的柔らかい軟質薄板領域１３を含んでいることが理解できる。使用者は、前記本体１を保持して硬質厚板領域１１で靴後部を外側へ広げて、前記漸次薄化領域１２を利用してかかとを滑らせ、更に前記軟質薄板領域１３の湾曲スロープを利用してかかとを靴内部へ挿入することができる。
【００１７】
本考案は、靴べら本体１の厚薄により硬軟を生成し、前記硬質厚板領域１１と軟質薄板領域１３を設けることにより、使用者が硬質厚板領域１１により靴後部を外側へ広げて、足のかかとで前記軟質薄板領域１３に力を加え、前記軟質薄板領域１３を湾曲させて、前記本体１を靴べらとして使用することができる。更に説明すれば、使用者が親指と人差し指で前記本体１の持ち手部１０を保持することにより、本考案の靴べら本体１をしっかりと保持することができる。次いで、本考案の靴べら本体１の硬質厚板領域１１を靴の内後部のかかとに配置して靴を外側へ広げ、足を靴内に挿入してかかとで本体１の前記軟質薄板領域１３に力を加え、前記軟質薄板領域１３を湾曲させることができ、前記軟質薄板領域１３は、内向きに湾曲してかかと全体を包み込み、このように容易かつ迅速にかかとを靴内に滑り込ますことができる。
【００１８】
更に、図５を参照すると、前記持ち手部１０は、外から内に、傾斜領域１４、平坦領域１５及び凸線領域１６を含む。具体的には、前記傾斜領域１４は、内に向かって次第に薄くなり、前記平坦領域１５は、平坦で傾斜されない領域であり、前記凸線領域１６は、間隔をあけて突出を設ける設計となっている。これにより、使用者は握りやすくなり落とすことがなくなる。
【産業上の利用可能性】
【００１９】
故に、全ての図面を参照すると、本考案の使用時に、従来の技術と比較して、以下のようなメリットを有する。使用者は、硬質厚板領域１１により靴後部を外側へ広げて、足のかかとで前記軟質薄板領域１３に力を加え、前記軟質薄板領域１３を湾曲させ、前記本体１を靴べらとして使用することができるカードタイプ携帯型靴べらである。本考案は、その構造が簡単で革新的であるとともに、携帯性に優れている。
【００２０】
以上で述べたものは、本考案の実施例に過ぎず、本考案の請求範囲を制限するものではない。故に、本考案の明細書及び図面の内容を運用した簡易な装飾及び等価の構造変更は、いずれも本考案の請求範囲に含まれる。
【符号の説明】
【００２１】
１  本体
１０  持ち手部
１１  硬質厚板領域
１２  漸次薄化領域
１３  軟質薄板領域
１４  傾斜領域
１５  平坦領域
１６  凸線領域
２  従来の靴べら
【図１】
0003196358.tif 000003
【図２】
0003196358.tif 000004
【図３】
0003196358.tif 000005
【図４】
0003196358.tif 000006
【図５】
0003196358.tif 000007